(57)【要約】【目的】容器内液温が指定する温度範囲であるか否かを視覚認する手段において、指定する温度範囲を検知感応しそれぞれに所定の発色機能を有する感温体を用いることにより、該容器内液温の明確な視覚認を得る。【構成】指定する温度範囲を検知感応しそれぞれ所定の色調を備える発色機能をを有しかつ可撓性を有して貼付可能とするテープ状で構成される感温体１と、この感温体１をサポートするサポートシート２と、から構成される。透明な容器などの場合は、該容器内液中にサポートシート２を介して感温体１の発色状態を視覚認し、不透明容器などの場合は、感温体１をその容器外側に貼付することで、感温体１の発色状態で該容器内液温を視覚認する。【選択図】        図１
2004264165.tif 000002
【特許請求の範囲】
【請求項１】
容器内液温が指定する温度範囲であるか否かを視覚認する手段において、該液温を検知し所定の感応作用する感温体と、感温体をサポートすることのできるサポートシートと、から成ることを特徴とする液温表示装置。
【請求項２】
前記感温体は、それぞれに指定する温度範囲を検知感応して所定の色調を備える発色機能を有し、かつ可撓性を有するテープ状で構成されているものであることを特徴とする請求項１記載の液温表示装置。
【請求項３】
前記感温体の有する検知感応し所定の色調を備える発色機能は、温度以外の物理又は科学的な検知反応や感応によるものではないことを特徴とする請求項１又は２記載の液温表示装置。
【請求項４】
前記感温体は、その有する所定の感応機能を損なうことなく、貼付可能機能を備えていることを特徴とする請求項１又は２，３記載の液温表示装置。
【請求項５】
サポートシートは、耐熱性と剛性及び弾性を有し透明の薄いフイルムで、該感温体を保持又は収納可能とするテープ又はチューブ状で構成されていることを特徴とする請求項１記載の液温表示装置。
【発明の詳細な説明】
【０００１】
【発明が属する技術分野】
本発明は、容器内の液温が所定温度範囲であるか否かが、視覚認することのできる液温表示装置に関するものである。
【０００２】
【従来の技術】
例えば経口又は経管などで患者が摂取又は患者に摂取させる水分補給や栄養食などの流動食又は乳児に与えるミルクなどの液温について、該摂取時又は摂取介助時におけるそれぞれの適温確認にはその都度温度計等を用いるわけにもゆかず、つい、摂取介助者又は投与者自身の皮膚感覚に頼ることが多く、それだけに不安もありかつトラブルもあった。
【０００３】
【発明が解決しようとする課題】
解決しようとする問題点は、患者が経口又は経管摂取による水分補給や栄養食などの流動食及び乳児のミルクなどの液温について、その環境から該食品や栄養液などにおいて考慮されるそれぞれの指定液温確認について、例えば温度計などの簡易計測器などの利用も考えられるが、その使用方法又は使用過程やその使用頻度の過程から不潔になりやすく、また経口容器などの場合、介助者がつい口で触れてしまうといった感染等衛生管理上に関わる大きな問題点があった。
このようなトラブル防止のための手段として、該容器内液温を視覚で指定液温が確認できる有効な機能装置がない点である。
【０００４】
【課題を解決するための手段】
本発明は、患者等介護の現場において、経口又は経管摂取時介助における水分補給や栄養食の流動食又は乳児のミルクなどそれぞれの指定液温を確認する手段において、該容器内液温が指定温度範囲であるか否かを視覚で確認できる感温体からなる液温表示装置を採用した。
該装置は、容器内又は容器外において指定される温度範囲を検知し感応し所定の色調を備える発色機能を有しかつ貼付可能機能を有する感温体と、この感温体を検温時諸条件で保持可能とするサポートシートと、から成ることを最も主要な特徴とする。これにより該容器内の液温を直接に又は所定の経口容器及び経管ボトルを介して指定の温度範囲であるか否かが容易に視覚認できるという目的を実現した。
【０００５】
【実施例】
本発明液温表示装置の一実施例であって、図１は吸い呑み具３内に装置された使用状態を示す説明図で、図２は経管ボトル４における使用状態を示す説明図である。
【０００６】
本発明の主体は、容器内液温が指定する温度範囲であるか否かを確認する視覚用の液温表示装置における実装方法にあるので、所定の感温機能を備える感温体１の機能構成系等に関わる説明は省略する。
以下図面に基づき、実施例について詳細に説明する。
【０００７】
図１は、透明な容器の吸い呑み具３内に用意された水分補給又は栄養液５の液温が、該患者における摂取時又は摂取時介助の過程において、該液温が指定の温度範囲であるか否かを介護者が容易に視覚認ができるように、感温体１がサポートシート２により該吸い呑み具３内の水分補給又は栄養液５の液中に保持されている。
【０００８】
図２は、半透明又は不透明な容器などで、経管ボトル４の容器外側所要位置に感温体１を貼付し、ボトルケースを介して該経管ボトル４内の液温が指定の温度範囲であるか否かを介護者又は担当者が容易に視覚認できるようにしている。
【０００９】
このようになっていると、例えば患者に投与する薬液や水分補給及び栄養補給の流動食の摂取時又は摂取介助時において、患者の症状や体調などでそれぞれ指定される液温温度範囲を検知し感応作用する感温体１の発色状況で容易に視覚認でき、不安なく介助や介護作業に専念できるものである。
また乳児の授乳時に際しても、該液温表示装置を用いることで所定の指定温度範囲であるか否かを感覚などによることなく容易に視覚認できるので、前述同様に不安なく授乳作業に専念できるものである。
【００１０】
【発明の効果】
以上説明した本発明の液温表示装置について、次に記載する効果を奏する。
【００１１】
請求項１の液温装置が、容器内の液温を検知し感応作用する感温体と、感温体をサポートできるサポートシートから成ることで、経口又は経管ボトル内の液体温度が、患者の症状や体調などが考慮される又は授乳ミルクにおける所定の指定温度範囲であるか否かを、摂取時又は摂取介助時に該介護者が容易に視覚認できことで、不安なく介護作業に専念できるという衛生的安全性かつ利便性に優れている。
また、別例として、それぞれに所定の温度範囲を指定して用いる水枕や湯たんぽ及びホットパックなどにも利用可能とすることで、介護の作業効果が向上されるという利点が大きい。
【００１２】
請求項２の感温体が、指定する温度範囲を検知感応しそれぞれに所定の色調を備える発色機能を有しかつ可撓性を有するテープ状で構成されたものであることは、使用又は利用諸条件において該容器内液温における明確な視覚認に大いに役立つ。
【００１３】
請求項３の感温体の有する検知感応しそれぞれに所定の色調を備える発色機能が、該温度以外の物理又は科学的な検知反応や感応によるものではないことであることは、該感温体の使用又は利用諸条件における信頼性を高めている。
【００１４】
請求項４の感温体が、その有する所定機能を損なうことなく貼付可能としたことは、使用又は利用諸条件において利便性が大きい。
【００１５】
請求項５のサポートシートは、使用又は利用諸条件における感温体のサポートに大いに役立つ。
【図面の簡単な説明】
【図１】本発明装置の効果を示す一実施例において、透明な吸い呑み具３内の水分補給又は栄養液５中にサポートシート２によりサポートされた感温体１の状態を示す説明図である。
【図２】本発明装置の効果を示す一実施例で、経管ボトル４の容器外側に貼付した感温体１の使用状態を示す外観図である。
【符号の説明】
１  感温体
２  サポートシート
３  吸い呑み具
４  経管ボトル
５  水分補給又は栄養液
【図１】
2004264165.tif 000003
【図２】
2004264165.tif 000004